(57)【要約】【課題】太陽光を利用する太陽電池付き充電器において、充電される電池が高温になることを防止する構造を提供することを目的とする。【解決手段】板状太陽電池１を支持する板状太陽電池支持体１０と、太陽電池１からの出力により充電される細長く延在する充電式電池４０を収納する収納部２２を有する土台部３０とを備える太陽電池付き充電器であって、板状太陽電池支持体１０が任意の角度に保持できるように土台部３０に連結されると共に、収納部２２は充電式電池４０の延在する方向の両端部を保持する保持部２３ｐ、２３ｍを有し、充電式電池４０が外気にさらされている。【選択図】  図２
2004289972.tif 000002
【特許請求の範囲】
【請求項１】
板状太陽電池を支持する板状太陽電池支持体と、
前記太陽電池からの出力により充電される細長く延在する充電式電池を収納する収納部を有する土台部とを備える太陽電池付き充電器であって、
前記板状太陽電池支持体が任意の角度に保持できるように前記土台部に連結されると共に、
前記収納部は前記充電式電池の延在する方向の両端部を保持する保持部を有し、前記充電式電池が外気にさらされていることを特徴とする太陽電池付き充電器。
【請求項２】
前記板太陽電池支持体は矩形板状であり、
前記土台部が矩形板状であり、
前記太陽電池支持体の前記矩形と、前記土台部の前記矩形とが、同じ寸法であって、
前記太陽電池支持体と前記土台部とを重ね合わせることができると共に、重ね合わせた状態における隣接する前記太陽電池支持体の一辺と、前記土台部の一辺とが回動自在に連結されていることを特徴とする請求項１の太陽電池付き充電器。
【発明の詳細な説明】
【発明の属する技術分野】
本発明は、太陽電池付き充電器に関する。
【従来の技術】
従来において、以下の特許文献１に開示されるように、太陽電池より発電された電力により、充電式電池を充電する充電器が提案されている。このような充電器は、板状太陽電池を支持する板状太陽電池支持体を備え、この太陽電池支持体の裏面側に、充電式電池を収納する電池収納部を備えている。そして、充電式電池を収納した状態では、電池収納部が蓋で閉塞されることになる。
【特許文献１】
実公平２−４６２２４号
【発明が解決しようとする課題】
このように、従来においては、太陽光を太陽電池に入射させ、充電式電池を充電するときには、充電式電池は、電池収納部に蓋で閉塞されて収納されることになる。この状態においては、太陽光により太陽電池及び太陽電池支持体が高温になり、これらの裏面側に配置される充電式電池も高温になる。更に、充電式電池は、太陽電池により発電された電力で充電されることより熱を発生することになる。このように充電式電池が高温になることは、電池の性能、寿命に悪影響を及ぼすことになる。
本発明は、このような問題点を解決するために成されたものであり、太陽光を利用する太陽電池付き充電器において、充電される電池が高温になることを防止する構造を提供することを目的とする。
【課題を解決するための手段】
本発明の主要な構成は
ことを特徴とする。
【発明の実施の形態】
以下に本発明の一実施例を、図１〜６を用いて詳細に説明する。
本実施例の太陽電池付き充電器は、板状太陽電池１を支持する矩形の板状太陽電池支持体１０と、太陽電池１からの出力により充電される細長く延在する円筒状の充電式電池４０を収納する収納部２２を有する土台部３０とを備えている。本実施例において、充電式電池４０は、単３型電池サイズのものを利用している。
板状太陽電池１は矩形であり、例えば、ガラス基板の裏面上に形成されたアモルファスシリコンからなる太陽電池が利用できる。この場合、ガラス基板の表面側が、太陽光の受光面となる。そして、太陽電池１の表面側を外側に露出した状態で太陽電池支持体１０により支持されている。太陽電池支持体１０は、太陽電池１の外周及び裏面側を覆っている。
また、太陽電池支持体１０は矩形であり、土台部３０は厚みのある矩形の板状であって、太陽電池支持体１０の矩形形状と略同一寸法であるので、図３に示すように、重ね合わせることができる。そして、隣接する太陽電池支持体１０の一辺１０Ｓと、土台部３０の一辺３０Ｓとが回動自在に連結されている。
詳細には、図４に示すように、土台部３０の一辺３０Ｓは、上下で分割できる樹脂製ハウジングにより、略円柱体３１となっている。そして、太陽電池支持体１０の一辺１０Ｓにおいては、両側に、土台部３０の一辺３０Ｓの円柱体３１と同じ直径で幅が小さい円柱体１１、１１を連結している。この円柱体１１の軸は空洞となっており、ここに、外側よりネジ１５を挿入し、ネジ１５の先端を一辺３０Ｓの円柱体の両端に、ねじ込むことより、太陽電池支持体１０と、土台部３０とが回動自在に連結されている。そして、ネジ１５により、太陽電池支持体１０の円柱体１１が、土台部３０の円柱体３１の両端に、押圧されていることより、太陽電池支持体１０及び太陽電池１を任意の角度に、保持できるようになっている。
次に、円筒状の充電式電池４０を収納部２２に収納する構造を説明する。収納部２２は、土台部３０を上面視矩形状に切抜いた切欠部に相当し、図２に示すように、本実施例を背面側から見たとき、土台部３０の横方向の略中央に配置される。また、収納部２２は、充電式電池４０の延在する方向の両端部を保持する保持部２３ｐ、２３ｍを有し、充電式電池４０が外気にさらされている。
充電式電池４０は、単３型電池サイズであって、プラス側端部４１ｐの先端側側部には、プラス電極として円柱体突起４２を有し、マイナス側端部４１ｍには、電池４０の円筒形状の底部に相当する部分がマイナス電極となっている。
図５、６に示すように、プラス側の保持部２３ｐにおいては、電池４０の突起４２を保持するために、収納部２２における土台部３０の側面に、曲面状の受け部２４を有する突部を備えている。また、土台部３０のハウジング内においては、電気回路（図示せず）が形成されたプリント基板５０に電気的、機械的に連結され折曲した金属板状のプラス側端子５１ｐを備えている。
また、マイナス側の保持部２３ｍにおいては、電池４０の円筒形状の底部が挿入できるように、収納部２２における土台部３０の側面に奥行きがある円形開口２５を有している。また、土台部３０のハウジング内においては、電気回路（図示せず）が形成されたプリント基板５０に電気的、機械的に連結され折曲した金属板状のマイナス側端子５１ｍを備えている。
このような構造により、電池４０の両端部４１ｐ、４１ｍが、収納部２２に保持されるので、図２に示すように、電池４０は、両端部４１ｐ、４１ｍの保持される部分を除いて、外気にさらされることになり、外気により十分に冷却することができる。また、図３に示すように、太陽電池支持体１０と土台部３０とを重ね合わせた状態であっても、図６に示すように、土台部３０の厚みが、電池４０の厚み（＝円柱形状の直径）より大きいので、収納された電池４０の上、下に、空間Ｓ１、Ｓ２ができ、外気がさらされ、外気が通過することができるので、冷却することができる。
このように、電池４０の両端部が保持されているが、電池４０の延在方向において、両端部の保持される部分の長さを合計して、電池４０の（プラス側突起４２を除いて）全長の略半分程度の長さまで保持されるのであれば、電池４０が十分に外気にさらせるので、十分に冷却することができる。なお、図面で示される本実施例においては、電池４０の（プラス側突起４２を除いて）全長の５％が保持されている。特に、両端において、略１０％づつ合計略２０％保持されるなら、特に、効率良く、電池４０を冷却することができる。
また、本実施例においては、図１に示すように、太陽電池支持体１０及び太陽電池１が太陽に向い、太陽光が、太陽電池支持体１０及び太陽電池１の面に、直角に入射できるように、角度を調節した状態で、電池４０が充電されることになる（内部配線は図示せず）。この状態においては、収納された電池４０は、太陽電池支持体１０及び太陽電池１により、太陽光の陰となるので、太陽光が、直接、電池４０に当たり、電池４０の温度が上昇することがない。また、図１の状態においては、太陽電池支持体１０及び太陽電池１の裏側と電池４０との間には、十分な空間があるので、外気が十分に通過することになり、効率良く電池４０を冷却することができる。
また、図３に示すように、太陽電池支持体１０と土台部３０とを重ね合わせた状態ではコンパクトであり、本実施例を持ち運び、引き出しの中等にしまい込むことが容易である。
【発明の効果】
本発明は、収納部は充電式電池の延在する方向の両端部を保持する保持部を有して、充電式電池が外気にさらされることになるので、充電式電池の温度上昇を抑制することがきる。太陽電池支持体が任意の角度に保持できるように土台部に連結されているので、太陽光により太陽電池が発電して充電時するとき、太陽電池支持体の角度を調節して、太陽光が充電式電池に照射されないようにできるので、充電式電池の温度上昇をより抑制することができる。
【図面の簡単な説明】
【図１】本発明の一実施例の正面側から見た斜視図である。
【図２】本発明の一実施例の背面側から見た斜視図である。
【図３】本発明の一実施例において、太陽電池支持体及び土台部を重ね合わせたときの背面側から見た斜視図である。（電池は取り外してある。）
【図４】図１のＡ−Ａ線断面図である。
【図５】本発明の保持部２３ｐの拡大斜視図である。
【図６】図２のＢ−Ｂ線断面図である。
【符号の説明】
１    太陽電池
１０  太陽電池支持体
２２  収納部
２３ｐ、２３ｍ  保持部
３０  土台部
４０  充電式電池
【図１】
2004289972.tif 000003
【図２】
2004289972.tif 000004
【図３】
2004289972.tif 000005
【図４】
2004289972.tif 000006
【図５】
2004289972.tif 000007
【図６】
2004289972.tif 000008